(57)【特許請求の範囲】
【請求項１】
遊技球を導入する遊技球導入部と、該遊技球導入部からの遊技球が通過することにより大当り遊技状態へ移行させる特定通過領域と、前記遊技球導入部からの遊技球を該特定通過領域の方向に誘導し得る誘導路とを有するユニット役物を遊技領域に備え、該遊技領域に打ち出された遊技球を前記特定通過領域に通過させるように遊技する遊技機において、
前記誘導路に垂設される軸部材と、該軸部材を軸として本の頁状に回動可能となる複数の板状部材とを有する振り分け部材と、
前記振り分け部材の前記複数の板状部材を、前記軸部材を軸として回動動作させる回動駆動手段と、を備え、
前記振り分け部材は、前記複数の板状部材の回動動作時に前記軸部材を中心に放射状をなす前記誘導路の一部を形成することにより、前記遊技球導入部からの遊技球を前記特定通過領域に通過させる可能性を変化させるように振り分けてなる、
ことを特徴とする遊技機。
【請求項２】
前記回動駆動手段は、前記複数の板状部材を周期的に回動動作させてなる、
請求項１に記載の遊技機。
【請求項３】
前記振り分け部材は、前記軸部材を本の背状に模り、前記複数の板状部材を本の頁状に模った本形状を呈する立体造形物からなる、
請求項１又は２に記載の遊技機。
【請求項４】
前記振り分け部材により形成される前記誘導路の一部は、前記複数の板状部材における上部の辺に沿うように形成される、
請求項１ないし３のいずれか１項に記載の遊技機。
【発明の詳細な説明】
【技術分野】
【０００１】
本発明は、パチンコ機等の遊技機に係り、遊技者を有利な遊技状態に移行させ得る特定入賞口への遊技球の振り分けを行う遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下し、あるいは遊技領域中央に設けられた入賞装置（いわゆるセンター飾り等）の役物内や遊技領域等に配設された各種入賞口に入球し、或いは入球せずに遊技領域下部のアウト口に流入するように構成されている。
【０００３】
そして、例えば、上記したようなパチンコ機の中には、入賞装置内に一般入賞口と特定入賞口とを備えた回転体を有し、入賞装置に導入された遊技球をそれら一般入賞口と特定入賞口とに振り分けるものが知られている（例えば、特許文献１参照）。このようなパチンコ機にあっては、入賞装置に入ったパチンコ球が回転体の特定入賞口に入賞した際に、遊技者に有利な遊技状態（特別入賞状態）となる。
【０００４】
また、上記したような振り分け装置である回転体を有するパチンコ機において、該回転体に到達するまでに第１および第２誘導通路を形成し、さらにこれらの誘導路への遊技球の入球を振分部材によって振り分け、特別入賞状態になるまでの過程の遊技性を向上させようとしたものが提案されている（例えば、特許文献２参照）。
【０００５】
【特許文献１】特開平７−１１２０６０号公報
【特許文献２】特開２００４−１２９７１５号公報
【発明の開示】
【発明が解決しようとする課題】
【０００６】
しかし、上記特許文献１に記載されたパチンコ機においては、入賞装置に入った遊技球が回転体の特定入賞口に入賞する確率は、当該回転体に備えた一般入賞口の数と特定入賞口の数とで決まることから、当該入賞確率は遊技中において一定となる。これにより、遊技者は、上記特定入賞口への遊技球の入賞を期待して回転体を注目することはあったが、回転体に到達するまでの入賞装置内における遊技球の動作を注目することはなかった。
【０００７】
また、上記特許文献２に記載されたパチンコ機においては、第１および第２誘導通路等の複数の誘導通路を形成し、該誘導通路への遊技球の振り分けを行うことによって回転体に遊技球が到達するまでの遊技性を向上させようとしている。しかし、第１誘導通路と第２誘導通路とでは、あらかじめ特定入賞口に入賞する確率が異なっており、いずれの通路を通過するかによってある程度の結果の予測が可能となることから、遊技球が各通路に振り分けられた時点で遊技者の期待感やどきどき感が薄れてしまう虞があった。
【０００８】
そこで本発明は、入賞装置等のユニット役物に導入された遊技球を新奇な機構で振り分け、特定通過領域の遊技球の通過確率を多様化させるように構成し、もって上述した課題を解決した遊技機を提供することを目的とするものである。
【課題を解決するための手段】
【０００９】
請求項１に係る本発明は（例えば図１ないし図７参照）、遊技球（Ｂａ）を導入する遊技球導入部（１３）と、該遊技球導入部（１３）からの遊技球（Ｂａ）が通過することにより大当り遊技状態へ移行させる特定通過領域（８４）と、前記遊技球導入部（１３）からの遊技球（Ｂａ）を該特定通過領域（８４）の方向に誘導し得る誘導路（２４ａ，Ｓ）とを有するユニット役物（２２）を遊技領域（１１ａ）に備え、該遊技領域（１１ａ）に打ち出された遊技球（Ｂａ）を前記特定通過領域（８４）に通過させるように遊技する遊技機（１）において、
前記誘導路（Ｓ）に垂設される軸部材（３２）と、該軸部材（３２）を軸として本の頁状に回動可能となる複数の板状部材（３４ａ，〜，３４ｇ）とを有する振り分け部材（２６）と、
前記振り分け部材（２６）の前記複数の板状部材（例えば３４ａ）を、前記軸部材（３２）を軸として回動動作させる回動駆動手段（７４）と、を備え、
前記振り分け部材（２６）は、前記複数の板状部材（例えば３４ａ）の回動動作時に前記軸部材（３２）を中心に放射状をなす前記誘導路（例えばＳ）の一部を形成することにより、前記遊技球導入部（１３）からの遊技球（Ｂａ）を前記特定通過領域（８４）に通過させる可能性を変化させるように振り分けてなる、
ことを特徴とする遊技機（１）にある。
【００１０】
請求項２に係る本発明は（例えば図３ないし図５参照）、前記回動駆動手段（７４）が、前記複数の板状部材（３４ａ，〜，３４ｇ）を周期的に回動動作させてなる、
請求項１に記載の遊技機（１）にある。
【００１１】
請求項３に係る本発明は（例えば図３及び図７参照）、前記振り分け部材（２６）が、前記軸部材（３２）を本の背状に模り、前記複数の板状部材（３４ａ，〜，３４ｇ）を本の頁状に模った本形状を呈する立体造形物からなる、
請求項１又は２に記載の遊技機（１）にある。
【００１２】
請求項４に係る本発明は（例えば図７参照）、前記振り分け部材（２６）により形成される前記誘導路（Ｓ）の一部は、前記複数の板状部材（３４ａ，〜，３４ｇ）における上部の辺（３５ａ，〜，３５ｇ）に沿うように形成される、
請求項１ないし３のいずれか１項に記載の遊技機（１）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、遊技機におけるユニット役物内に、遊技球の誘導路に垂設される軸部材と、該軸部材を軸として本の頁状に回動可能となる複数の板状部材とを有する振り分け部材を備えさせると共に、該振り分け部材における複数の板状部材を回動動作させる回動駆動手段を備えさせる。そして、上記振り分け部材が、複数の板状部材の回動動作時に軸部材を中心に放射状をなすことで誘導路の一部を形成し、該誘導路の一部が、ユニット役物に導入された遊技球の特定通過領域における通過可能性を変化させるように振り分けてなるので、上記した複数の板状部材が、軸部材を中心とした放射状に広がる新奇な誘導路を形成することにより、遊技球の取り得る進路領域に広がりを持たせることができる。これにより、遊技者の視覚を楽しませるような、装飾性の高い遊技機を提供することができる。
【００１５】
また、ユニット役物内に導入された遊技球は、上記した放射状に形成される誘導路によってその進路が多様化され、特定通過領域を通過する可能性に変化が与えられるものとなる。これにより、遊技者の注目を集めると共に、特定通過領域に遊技球が通過するか否かの期待感やどきどき感等の高度な遊技感覚を遊技者に提供することができる。
【００１６】
請求項２に係る本発明によると、回動駆動手段は、複数の板状部材を周期的に回動動作させてなるので、振り分け部材が周期的に回動動作され、複数の板状部材が形成する放射状の誘導路の形状が経過時間ごとで変化することにより、誘導される遊技球の進路も一層多様なものとなる。これにより、遊技球が特定通過領域を通過するまでの進路態様の種類が増し、遊技者に飽きの来させない遊技性の高い遊技機を提供することができる。
【００１７】
請求項３に係る本発明によると、振り分け部材が、軸部材を本の背状に模り、複数の板状部材を本の頁状に模った本形状を呈する立体造形物からなるので、従来の可動役物には見受けられなかった、一般的な本の形状を模った立体造形物が回動動作する新奇かつ独特な演出を施すことができるようになり、遊技者の興趣を誘うものとすることができる。
【００１８】
請求項４に係る本発明によると、振り分け部材により形成される誘導路の一部が、複数の板状部材における上部の辺に沿うようにして形成されるので、板状部材と板状部材との間に形成される空間ではなく、板状部材の上部の辺、つまり振り分け部材の上部で遊技球を転動させることによって、遊技球が誘導される際の態様を遊技者から見易くさせることができる。
【発明を実施するための最良の形態】
【００１９】
以下、本発明に係る遊技機の実施形態として、遊技場等に設置されるパチンコ機１の概略を図面に沿って説明する。図１は本発明に係る実施の形態におけるパチンコ機１の外部構造を示す正面図、図２は本パチンコ機１の遊技球誘導ユニット２０を拡大して示す正面図である。
【００２０】
なお、本実施の形態では、本発明の遊技機を所謂第２種特別電動役物を使用したパチンコ機として述べるが、本発明はこれに限らず、所謂第１種特別電動役物や所謂第３種特別電動役物等を使用したパチンコ機、或いはこれらが適宜組み合わされた機能を有するパチンコ機にも適用可能であることは勿論である。
【００２１】
すなわち、本パチンコ機（遊技機）１は、図１に示すように、発射ハンドル９の操作による球発射装置７２（図５に後述する）の作動で遊技球（いわゆるパチンコ玉）を遊技盤１１の遊技領域１１ａに向かって打ち出しつつ遊技を行うもので、打ち出された遊技球は遊技球導入部である入賞口１３（以下、可変入賞口１３ともいう）、入賞口１４（以下、第１入賞口１４ともいう）、入賞口１５（以下、第２入賞口１５ともいう）、入賞口１６，１７（以下、一般入賞口１６，１７ともいう）、又はアウト口１８に収容される構成をなしている。
【００２２】
図１に示すように、本実施形態におけるパチンコ機１は、開口を有する枠体状の筐体２と、この筐体２に開閉可能に装着された前扉３とを有しており、前扉３の前面には、透明ガラス６を有するガラス枠５が開閉可能に取り付けられている。透明ガラス６の奥側には、遊技盤１１が配設されている。前扉３における遊技盤１１の左右及び上部には演出用照明装置２３が配設されており、前扉３における上部左右には夫々スピーカ（図示せず）を有する放音装置８が配設されている。また、ガラス枠５における右側部には、前扉３を筐体２側に施錠又は解放するための施錠装置４が配設されている。
【００２３】
そして、前扉３における下部中央には皿ユニット６が設けられており、皿ユニット６における右上部には、賞球及び貸球を含む遊技球が供給される球供給口７６が設けられ、皿ユニット６における右上部には、球貸ボタン７ａ及びプリペイドカード返却ボタン７ｂが設けられている。皿ユニット６の中央部には、該皿ユニット６上の遊技球を皿ユニット６下部の球排出口（図示せず）を通して下方に排出するための第１球抜きボタン２１ａと、皿ユニット６上の遊技球を球供給口７６付近から上記球排出口を通して下方に排出するための第２球抜きボタン２１ｂとが配置されている。
【００２４】
また、前扉３における皿ユニット６の右側下方には、球発射装置７２を操作して遊技球を遊技盤１１に向けて打ち出すための発射ハンドル９が設けられ、皿ユニット６の左側下方には灰皿２５が配設されている。なお、図１中の符号１２は、発射ハンドル９の操作で発射された遊技球を遊技領域１１ａに導くガイドレールを示し、符号１８はアウト口を示している。また、本パチンコ機１には、遊技中に遊技領域１１ａにて入賞することなく落下してアウト口１８に入り込んだ遊技球をパチンコ機背面側に導くアウト球通路（図示せず）が設けられている。
【００２５】
一方、遊技領域１１ａ内に配設された入賞口１３，〜，１７は全て、遊技球が入賞した場合に所定数の遊技球を賞球するように機能するが、単に遊技球の賞球のみを行うものと、賞球以外の他の機能を有するものとが存在している。具体的には、遊技領域１１ａの中央左右に設けられた入賞口１６と、遊技領域１１ａの左右下方に設けられた、後述する遊技球誘導ユニット２０に配設された入賞口１７とが、前者に示した賞球のみ行う入賞口となる。また、遊技領域１１ａの中央に設けられたセンター飾り（ユニット役物）２２の上部左右に配設される入賞口１３と、遊技領域１１ａの中央下部に縦に整列されて配設される入賞口１４、１５とが、後者に示した賞球以外の他の機能を有する入賞口となる。なお、上記したセンター飾り２２については、図３を用いて後に詳述する。
【００２６】
図２に示すように、上記第１入賞口１４及び第２入賞口１５の左右方向には、遊技球誘導ユニット２０が配設されている（図２にて左方向の遊技球誘導ユニット２０は省略）。この遊技球誘導ユニット２０は、遊技領域１１ａに打ち出されて落下してきた遊技球を誘導する誘導部材４０と、該誘導部材４０を延長させる可動部材４２とにより構成されている。誘導部材４０は、可動部材４２と該可動部材４２を駆動するソレノイド４３とを収容した状態で、遊技盤１１の各取付穴５０にネジ留めされて取り付けられている。この可動部材４２は、奥行き方向（図２の紙面奥側）に向かう略々三角柱形状を呈しており、可動部材４２の最下部頂点に設けられた連結点４８を軸として回動（揺動）するように誘導部材４０と枢着されている。
【００２７】
誘導部材４０が遊技盤１１に取り付けられた際には、上方に向けて開口する遊技球入賞口１７が形成される。この入賞口１７は、遊技球の入賞をもって所定数の遊技球を賞球する機能を有している。そして、誘導部材４０の上部には、遊技領域１１ａの中央部に向かって下降するように傾斜する遊技球誘導路４４が形成されているので、遊技領域１１ａに打ち出されて落下してくる遊技球が、誘導部材４０（すなわち、遊技球誘導ユニット２０）の上面側に落下した際には、該誘導路４４上を遊技領域１１ａの中央部に向かって転動することとなる。
【００２８】
可動部材４２は、ソレノイド４３により駆動され、該ソレノイド４３の非駆動時には図３に示した位置（符号４２を付与した位置）に配置されており、駆動時には連結点４８を中心として左方向に回転し、先端部５１´で示した位置までその先端が移動する。ソレノイド４３は、誘導部材４０の内部で固定されており、滑動部材４６を矢印Ｄに示す横方向に滑動される。可動部材４２は、この滑動部材４６に連結点４８よりも上方の位置で連結されている。従って、ソレノイド４３が駆動された際には、滑動部材４６の横方向の滑動に伴い、可動部材４２が連結点４８を中心に矢印Ｗで示す方向に揺動されることとなる。このように可動部材４２が駆動された際には、可動部材４２の先端部５１´が、誘導部材４０、すなわち遊技球誘導ユニット２０の外部に突出されるものとなる。
【００２９】
一方、前述したセンター飾り２２が有する可変入賞口１３は、通常時において羽根部材２４によって閉鎖されている。しかし、遊技球が、第１入賞口１４もしくは第２入賞口１５に入賞した際には、羽根部材２４が後述する開閉ソレノイド７０によって開閉駆動されることによって、一定時間（約０．５秒／回）だけ開放状態となる。
【００３０】
すなわち、第１入賞口１４及び第２入賞口１５への入賞は、通常の賞球のみならず、センター飾り２２の可変入賞口１３を開放させる条件ともなっている。具体的には、第１入賞口１４に遊技球が入賞した際には、羽根部材２４が駆動されることによって、可変入賞口１３が１回だけ開放状態となる。また、第２入賞口１５に遊技球が入賞した際には、第１入賞口１４に入賞したときと同様な可変入賞口１３の開放が２回実行される。これにより、第１入賞口１４へ入賞したときよりも第２入賞口１５に入賞したときの方が、可変入賞口１３への遊技球の入賞可能性は高まるものとなっている。
【００３１】
ところで、遊技領域１１ａには、センター飾り２２の左右下方に風車８６が配設されている。また、遊技領域１１ａにおけるセンター飾り２２の周囲には、発射されてからセンター飾り２２に関与せずに落下してくる遊技球を適宜散らし、第１入賞口１４、第２入賞口１５等に対し、入球に導くようにするための複数の障害釘が打ち込まれている。なお、本実施の形態においては、上記風車８６がセンター飾り２２の左右下方に配設されるものとして説明するが、これは１つの例であり、配設させる位置や数については遊技領域１１ａ内において特に限定されるものではない。また、障害釘及び各種入賞口にあっても、配設させる位置や数について遊技領域１１ａ内において特に限定されるものではない。
【００３２】
次に、センター飾り２２について、図３および図４を参照して説明する。図３はセンター飾り２２を拡大して示す正面図、図４は板部材３４ａ，３４ｂとその駆動機構を示す概略斜視図である。
【００３３】
すなわち、図３に示すように、センター飾り２２の上部には、センター飾り２２の有する略々矩形形状の開口部２７から露出されるように図柄表示装置３１が配設され、該図柄表示装置３１の左右下部には、可変入賞口１３を開閉する前述した羽根部材２４が配設されている。該羽根部材２４は、後述する開閉ソレノイド７０によって矢印Ａの向きに回動駆動されることで可変入賞口１３を開閉動作させ、図３では可変入賞口１３の開状態における羽根部材２４の状態が示されている。
【００３４】
上記した可変入賞口１３内側のそれぞれの直下方には、書籍である本の形状を呈した振り分け装置（振り分け部材）２６が、やや前方に向けて下降するように傾斜した遊技球ステージ（誘導路）Ｓ上に略々垂直をなすように配設されている。該振り分け装置２６はそれぞれ、回動軸（軸部材）３２と７枚の板部材（板状部材）３４ａ，〜，３４ｇとを有し、該板部材３４ａ，〜，３４ｇが回動軸３２を中心として矢印Ｂ１，Ｂ２に示す方向に回動自在となるように支持されている。
【００３５】
ついで、図４に示すように、振り分け装置２６における板部材３４ａは、その先端下部から延在する棒状部材７７が、遊技球ステージＳの床下側に配設された円板部材７８の外周端に溝７９（図３参照）を通して固着されている。この円板部材７８における回転軸８０は、回動軸３２と同心をなして回動するように設置される。そして、この円板部材７８は、遊技球ステージＳの床下側に配設された回動モータ（回動駆動手段）７４に、減速機構８１と、減速機構８１から突出する駆動軸８２と、該駆動軸８２に嵌着されたギヤ８３ａ及び回転軸８０に嵌着されたギヤ８３ｂとを介して連動連結されている。そして、円板部材７８は、上記モータ７４が遊技制御装置６０によって駆動制御される際、その回転が上記減速機構８１等を介して伝達されることによって、円板部材７８胴体の中央部に位置する回転軸８０を中心として矢印Ｂ１，Ｂ２（図３参照）の向きに交互に一定周期（例えば、４〜５秒で１往復運動）で回動動作されるように構成されている。
【００３６】
また、図４に示すように、板部材３４ｂは、遊技球ステージＳの床下側において、板部材３４ａからナイロンやポリエステル等からなる耐久性の高い紐８７で連結されていることにより、板部材３４ａが矢印Ｂ２方向（図３参照）に回動した際にはその方向に引き寄せられる。この板部材３４ｂは、その先端下部に棒状部材８８を有し、この棒状部材８８の先端には遊技球ステージＳの床下に配設されたレール８９を両側部から狭持して滑動する例えばガイドローラ（不図示）を有している。これにより、板部材３４ｂは、板部材３４ａが背面７６側に回動した際に引き寄せられ、該レール８９に沿って円滑に移動するものとなる。また、板部材３４ａが矢印Ｂ１方向（図３参照）に回動した際には、該板部材３４ａが板部材３４ｂを押圧していくことで矢印Ｂ１方向（図３参照）に移動される。図４では図示を省略しているが、他の板部材３４ｃ，〜，３４ｇについても、板部材３４ｂに続いて紐８７と同様の紐（不図示）で順次連結させることにより、板部材３４ａが回動した際には上記した板部材３４ｂと同様に矢印Ｂ１，Ｂ２方向への動作をすることとなる。
【００３７】
このように、板部材３４ａが、回動モータ７４によって矢印Ｂ１側の内側面７５に引き寄せられた際には、他の板部材３４ｂ，〜，３４ｇは板部材３４ａと内側面７５とに挟み込まれるように折り重なり、振り分け装置２６は全体として厚みが薄い閉じた状態となる。また、板部材３４ａが、矢印Ｂ２側の背面７６側に回動された際には、他の板部材３４ｂ，〜，３４ｇは、図３に示すように回動軸３２から放射状に等角度（約１０°）で配列され、振り分け装置２６は全体として本が見開かれたような状態となる。加えて、この状態における各板部材は放射状を呈しているため、その外周側での間隔が最大長の約８ｍｍとなり、一般的な遊技球の直径（約１１ｍｍ）より狭いものとなっている。
【００３８】
一方、遊技球ステージＳおよび左右の振り分け装置２６の中央部で、かつその前面側には、遊技球が入賞することによって、いわゆる大当たりとなるＶ入賞が決定される特定入賞口（特定通過領域）８４が配設されている。また、該特定入賞口８４の左右には、遊技球が入賞することで所定の賞球が得られる一般入賞口８５，８５が配設されている。遊技球ステージＳは、前面側に下降するように傾斜していることにより、可変入賞口１３から遊技球が導入された際には、該遊技球は上記特定入賞口８４や一般入賞口８５，８５の方向に転動することとなる。そして、上面（誘導路）２４ａと振り分け装置２６の板部材３４ａ，〜，３４ｇの上辺（辺）３５ａ，〜，３５ｇと遊技球ステージＳとにより、本発明における誘導路が構成される。
【００３９】
次に、本実施形態におけるパチンコ機１の制御系を図５に沿って説明する。図５は本パチンコ機１の全体の制御系を示すブロック図である。すなわち、本制御系は、大きく分けて、遊技制御装置（制御手段）６０と、排出制御装置６１を初めとするその他の周辺装置等とによって構成されている。
【００４０】
遊技制御装置６０は、遊技盤１１の裏面に取り付けられた役物制御ユニット（図示略）により実現されている。図５に示すように、遊技制御装置６０は、パチンコ遊技等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力Ｉ／Ｆ（インターフェース）６４とを有している。遊技用マイクロコンピュータ６２は、ＣＰＵ６２ａ、ＲＯＭ６２ｂ、ＲＡＭ６２ｃを内蔵する、いわゆるアミューズチップ用のＩＣとして製造されている。
【００４１】
この遊技制御装置６０の入出力Ｉ／Ｆ６４には、第１入賞口センサ６５、第２入賞口センサ６６、及び入賞口センサＳＥ１，〜，ＳＥ４からの検出信号が入力される。ここで、第１入賞口センサ６５は、第１入賞口１４への入賞を検出するセンサであり、第２入賞口センサ６６は、第２入賞口１５への入賞を検出するセンサである。更に、入賞口センサＳＥ，〜，ＳＥ４は、一般入賞口１６，１７、一般入賞口８５、特定入賞口８４への入賞をそれぞれ検出するセンサである。
【００４２】
一方、入出力Ｉ／Ｆ６４からは、放音装置８を放音駆動して効果音などの出力制御を行う音声出力制御装置６８、演出用照明装置２３や図柄表示装置３１等の制御を行う演出制御装置６９、センター飾り２２の羽根部材２４を駆動する開閉ソレノイド７０、球発射装置７２を制御する発射制御装置７１、板部材３４ａをはじめとする振り分け装置２６の有する各板部材を回動駆動する回動モータ７４に信号が出力される。
【００４３】
また、この入出力Ｉ／Ｆ６４からは、排出制御装置６１にも賞球制御情報の信号が出力される。なお、賞球制御情報の内容としては、賞球数情報や排出条件等の情報が出力される。排出制御装置６１は、遊技制御装置６０から入力される賞球制御情報に基づいて、排出ユニット（不図示）を駆動して遊技球を排出する制御を行うものである。すなわち、遊技制御装置６０は、遊技領域１１ａの各入賞口に設けられた第１入賞口センサ６５、第２入賞口センサ６６、入賞口センサＳＥ１，〜，ＳＥ３によって入賞が検出されると、各入賞口の入賞価値に対応して予め設定された賞球数情報を、排出制御装置６１へ送信する。そして、排出制御装置６１では、この賞球数情報を受信して、それに応じた賞球排出制御を行う。
【００４４】
次に、本パチンコ機１による作用について図６ないし図７を参照して説明する。図６は遊技領域１１ａにおける遊技球の進路の例を示す概略図で、（ａ）は遊技球誘導ユニット２０の非作動状態における概略正面図、（ｂ）は遊技球誘導ユニット２０の作動状態における概略正面図、図７は振り分け装置２６の開閉状態を示す概略図で、（ａ）は最も閉じた状態を示す概略平面図、（ｂ）は約半分開いた状態を示す概略平面図、（ｃ）は最も開いた状態を示す概略平面図である。
【００４５】
すなわち、本パチンコ機１に対面して着座した遊技者が発射ハンドル９を握り、適宜の角度に回動操作した際には、発射制御装置７１がその回転角に基づいて球発射装置７２を制御し、それにより、該球発射装置７２の作動で遊技球を所定の時間間隔で遊技領域１１ａに向けて連続的に発射させる。すると、遊技領域１１ａに打ち出されて転動落下する多数の遊技球は、入賞口１６，１７等に適時入賞し、或いは、これらに関与せずに転動落下して、遊技領域１１ａ最下部のアウト口１８から遊技盤１１背面側に排出される。
【００４６】
このような遊技中、遊技球誘導ユニット２０において、可動部材４２が揺動されていない通常の状態にあっては、可動部材４２は誘導部材４０内に収容されており、該可動部材４２の側面５２（図２参照）が誘導部材４２の遊技球誘導路４４から延長された状態となっていない。このとき、遊技領域１１ａに打ち出された遊技球が、誘導部材４０の上部に落下した際には、遊技球は遊技球誘導路４４に沿って転動し、該遊技球誘導路４４の終端４４ａに到達した後で下方に落下する。このときの経路は、図６（ａ）の矢印Ｙに示すものとなる。
【００４７】
また、可動部材４２が揺動されていない通常の状態にあって、遊技領域１１ａに打ち出された遊技球が、遊技球誘導路４４の終端４４ａよりも中心部側、すなわち該終端４４ａと入賞口１４、１５との間に落下した際には、図６（ａ）の矢印Ｚに示す経路で下方に落下する。この場合の遊技球は、遊技領域１１ａに配設された障害釘に適宜に当接するなどし、多くの場合はそのまま下方へと落下することになる。従って、上記矢印Ｙ，Ｚに示した経路を辿った遊技球が、第１及び第２入賞口１４、１５、特に第２入賞口１５に入賞する可能性は非常に低いものとなる。また、第２入賞口１５は、第１入賞口１４の直下方に配置されているため、他の進路からの遊技球が入賞する可能性も極めて低いものとなる。
【００４８】
一方、図６（ｂ）に示すように、可動部材４２が揺動された特別な状態にある場合には、該可動部材４２の側面５２は誘導部材４２の遊技球誘導路４４から延長された状態となる。このとき、誘導部材４０の上部に遊技球が落下すると、該遊技球は誘導路４４に沿って転動し、引き続き可動部材４２の側面５２（図２参照）へ移動して、第２入賞口１５に向かって落下することとなる。このときの経路は、図６（ｂ）の矢印Ｙ´に示すものである。また、遊技領域１１ａに打ち出されて落下した遊技球が、遊技球誘導路４４の該終端４４ａと入賞口１４、１５との間に落下した際には、図６（ｂ）の矢印Ｚ´に示す経路で下方に落下する。上述したように、可動部材４２が揺動された状態にある場合には、遊技球は矢印Ｙ´，Ｚ´に示す経路のいずれかを辿って第２入賞口１５方向に案内されることとなる。
【００４９】
上記した各経路を辿った遊技球が、第１入賞口１４へと入賞した際には、センター飾り２２の有する羽根部材２４が、開閉ソレノイド７０によって１回の開閉動作（約０．５秒間）を行う。また、遊技球が第２入賞口１５へと入賞した際には、センター飾り２２の有する羽根部材２４は、開閉ソレノイド７０によって２回の開閉動作（それぞれ約０．５秒間ずつ）を行う。このようにして羽根部材２４が開状態となった際に、遊技領域１１ａに打ち出された遊技球の中には、可変入賞口１３からセンター飾り２２内へと導入されるものがある。
【００５０】
ついで、遊技球が可変入賞口１３からセンター飾り２２内へ導入された際の動作について、図７を参照して説明する。
【００５１】
すなわち、図７の各図に示すように、可変入賞口１３（図３参照）からセンター飾り２２（図３参照）内へと導入される遊技球Ｂａは、上面２４ａ上を矢印Ｃに示す方向にそれぞれ転動し、内側面７５及び振り分け装置２６の方向に落下する。このとき、振り分け装置２６が開いた状態にない場合、つまり図７（ａ）に示すような、該板部材３４ａ，〜，３４ｇが内側面７５側に閉じた状態にある場合には、上面２４ａから落下した遊技球Ｂａは、略々遊技球ステージＳ上の位置Ｐ１に示す場所に着地する。位置Ｐ１に着地した遊技球Ｂａは、その際の速度や回転等によって左右されながらも、その多くは遊技球ステージＳの中央部側には向かわず、内側面７５に沿うように矢印Ｊに示す辺りを遊技球ステージＳの前面側に向かって転動する。遊技球が、矢印Ｊに示す位置を転動した際には、遊技球ステージＳ前面の端部へと向かうこととなり、特定入賞口８４の左右に配設された一般入賞口８５へと略々入賞する。
【００５２】
また、図７（ｂ）に示すような、振り分け装置２６が約半分開いた状態の場合には、上面２４ａからの遊技球Ｂａは、開きかけた板部材３４ａ，３４ｂ，３４ｃ上の略々位置Ｐ２に示す場所に向けて落下する。ここで、遊技球Ｂａが振り分け装置２６上の、例えば、板部材３４ａ，３４ｂの上部に着地した際には、それぞれの上辺３５ａと上辺３５ｂとで２点支持されることとなる。そして、この２点支持された遊技球Ｂａは、板部材３４ａ，３４ｂの幅が回動軸３２を中心として放射状に広がっていることと、振り分け装置２６が配設されている遊技球ステージＳが前面側に向かって下降するように傾斜していることから、回動軸３２から放射状をなす外側に向かって転動を始める。
【００５３】
そして、例えば、位置Ｐ２に落下した遊技球Ｂａが、その際の速度や回転等の影響を受け、矢印Ｋ１，Ｋ２に示す経路を転動した際には、比較的内側面７５に近い側を沿うこととなる。このような遊技球Ｂａが、遊技球ステージＳ上に落下した場合には、遊技球ステージＳの中央部へと向かうことは無く、したがって特定入賞口８４には入賞せず、その左右に配設された一般入賞口８５へと入賞する確率が高くなる。
【００５４】
また、矢印Ｋ３に示すような、内側面７５から比較的遠い（約２０°の角度をなす）側の経路に沿って遊技球Ｂａが転動した際には、矢印Ｋ１，Ｋ２の場合に比して遊技球ステージＳの中央部へと向かうものとなり、特定入賞口８４へと入賞する確率はやや上昇する。さらに、矢印Ｋ４に示すような、遊技球Ｂａが振り分け装置２６の向こう側に落下した際には、図７（ｂ）に示した経路のうちで最も遊技球ステージＳの中央部に近づくこととなり、特定入賞口８４へと入賞する確率は矢印Ｋ３に示した経路より一層高まるものとなる。
【００５５】
ついで、図７（ｃ）に示すような、振り分け装置２６が最も開いた状態（約６０°）の場合には、上面２４ａからの遊技球Ｂａは、開いた板部材３４ａ，〜，３４ｇ上の略々位置Ｐ３に示す場所に向けて落下する。位置Ｐ３に落下した遊技球Ｂａが、振り分け装置２６上に着地した際には、図７（ｂ）の場合と同様、回動軸３２から放射状をなす外側に向かって転動を始める。振り分け装置２６上に着地した遊技球Ｂａは、その際の速度や回転等によって、内側面７５に近い側の経路（例えば矢印Ｌ１）から、背面７６（図３参照）に近い側の経路（例えば矢印Ｌ７）までのいずれかの経路に沿って転動することとなる。
【００５６】
例えば、遊技球Ｂａが矢印Ｌ１，Ｌ２に示す経路に沿って転動した際には、遊技球ステージＳの中央部に向かうことは無く、特定入賞口８４には入賞せず、その左右に配設された一般入賞口８５へと入賞する確率が高いものとなる。また、遊技球Ｂａが矢印Ｌ３，Ｌ４に示す経路に沿って転動した際には、矢印Ｌ１，Ｌ２のときに比して遊技球ステージＳの中央寄りには向かうが、相応な勢い等を有さない場合には特定入賞口８４に高確率で入賞するものとはならない。
【００５７】
また、遊技球Ｂａが矢印Ｌ５，Ｌ６に示す経路に沿って転動した際には、図７（ｃ）に示した総ての経路のうちで最も遊技球ステージＳの中央部に近づくこととなり、特定入賞口８４へと入賞する確率は矢印Ｌ３，Ｌ４に示した経路より一層高まるものとなる。さらに、矢印Ｌ７に示すような、遊技球Ｂａが振り分け装置２６の外側に落下した際には、遊技球Ｂａは、遊技球ステージＳの中央より少し遠く（当該振り分け装置２６と反対側にある振り分け装置２６の側）へ向かうため、転動の際の勢いが相応でない場合には特定入賞口８４への入賞確率は前述した矢印Ｌ３，Ｌ４の経路の場合に比して低いものとなる。
【００５８】
一方、羽根部材２４の開閉動作した際のタイミングによっては、複数の遊技球が可変入賞口１３からセンター飾り２２内へと導入される。このような場合には、遊技球同士が当接し合う等することによって、上記図７（ａ）〜（ｃ）に示した遊技球の動作以上にさらに複雑な動きを示し、特定入賞口８４への入賞確率がより一層分散され、遊技者の期待感やどきどき感が刺激されるものとなる。
【００５９】
そして、遊技球Ｂａが特定入賞口８４へと入賞すると、入賞口センサＳＥ４からの信号を契機として、遊技制御装置６０が開閉ソレノイド７０を駆動制御することで羽根部材２４を開閉させ、可変入賞口１３から遊技球を入賞させる大当り遊技の演出動作を実施させる。加えて、遊技制御装置６０は、演出制御装置６９に対して、上記大当り遊技に応じた所定の演出動作、例えば、「Ｖゾーン入賞」の文字を図柄表示装置３１に表示制御させたり、演出用照明装置２３に点滅制御をさせたりする。
【００６０】
なお、以上説明した本実施の形態においては、第２種特別電動役物を使用したパチンコ機１において、振り分け装置２６が可変入賞口１３から特定入賞口８４までの間の遊技球ステージＳに配設されるとして説明したが、第１種特別電動役物を使用したパチンコ機におけるセンター飾り内で、ワープ導入口から始動チャッカーに高確率で遊技球を導く導入口や導入路等までの間にある遊技球ステージ上に、同様な振り分け装置を配設させるようにしてもよいことは勿論である。ここで、上記「ワープ導入」という語句は、遊技領域に打ち出された遊技球を、当該遊技領域の比較的下側に位置する道釘等を経ることなく、始動チャッカーの上に導くことを意味する概念である。また、上記「道釘」とは、遊技領域において始動チャッカー左右に打ち込まれた複数本の障害釘の列を意味するもので、上方から転動落下してきた遊技球を始動チャッカー方向に導く役割を担っている。
【００６１】
また、本実施の形態においては、可変入賞口１３から導入された遊技球Ｂａは、振り分け装置２６上部の上辺３５ａ，〜，３５ｇ等に沿って転動するとして説明しているが、遊技球Ｂａの転動する幅を確保した場合には、振り分け装置２６に落下した後に、板部材３４ａ，〜，３４ｇの間を転動させるように誘導路を形成させてよいことは勿論である。
【００６２】
以上説明した本実施の形態では、パチンコ機１におけるセンター飾り２２内に、遊技球Ｂａの誘導路である遊技球ステージＳに垂設される回動軸３２と、該回動軸３２を軸として本の頁状に回動可能となる板部材３４ａ，〜，３４ｇとを有する振り分け装置２６を備えさせる。また、該振り分け装置２６における板部材３４ａ，〜，３４ｇに、これらを回動動作させるための回動モータ７４を設ける。そして、上記振り分け装置２６が、板部材３４ａ，〜，３４ｇの回動動作時に回動軸３２を中心に放射状をなすことで特定入賞口８４へと導く遊技球ステージＳの一部を形成することとなり、該遊技球ステージＳの一部が、センター飾り２２に導入された遊技球Ｂａの特定入賞口８４における通過可能性を変化させるように振り分けるものとなる。上記した板部材３４ａ，〜，３４ｇが、回動軸３２を中心とした放射状に広がる新奇な誘導路、つまり遊技球ステージＳの一部を形成することにより、遊技球Ｂａの取り得る進路領域に広がりを持たせることができるようになる。これにより、遊技者の視覚を楽しませるような、装飾性の高いパチンコ機１を提供することができるようになる。
【００６３】
また、センター飾り２２内に導入された遊技球Ｂａは、上記した放射状に形成される誘導路（つまり遊技球ステージＳの一部）によってその進路が多様化され、特定入賞口８４を通過する可能性に変化が与えられるものとなる。これにより、遊技者の注目を集めると共に、特定入賞口８４に遊技球Ｂａが通過するか否かの期待感やどきどき感等の高度な遊技感覚を遊技者に提供することができるようになる。
【００６４】
また、回動モータ７４が、板部材３４ａ，〜，３４ｇを周期的に回動動作させてなるので、振り分け装置２６が周期的に回動動作され、板部材３４ａ，〜，３４ｇが形成する放射形状が経過時間ごとで変化することにより、誘導される遊技球Ｂａの進路も一層多様なものとなる。これにより、遊技球Ｂａが特定入賞口８４を通過するまでの進路態様の種類が増し、遊技者に飽きの来させない遊技性の高いパチンコ機１を提供することができるようになる。
【００６５】
また、振り分け装置２６が、回動軸３２を本の背状に模り、板部材３４ａ，〜，３４ｇを本の頁状に模った本形状を呈する立体造形物からなるので、従来の可動役物には見受けられなかった、一般的な本の形状を模った立体造形物が回動動作する新奇かつ独特な演出を施すことができるようになり、遊技者の興趣を誘うものとすることができる。
【００６６】
また、振り分け装置２６により遊技球ステージＳ上に形成される誘導路が、板部材３４ａ，〜，３４ｇにおける上部の上辺３５ａ，〜，３５ｇ等に沿うようにして形成されるので、板状部材と板状部材との間に形成されるそれぞれの空間ではなく、板状部材の上部の辺、つまり振り分け装置２６の上部で遊技球Ｂａを転動させることによって、遊技球Ｂａが誘導される際の態様を遊技者から見易くさせることができる。
【００６７】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００６８】
【図１】本発明に係る実施の形態におけるパチンコ機の外部構造を示す正面図である。
【図２】本パチンコ機の遊技球誘導ユニットを拡大して示す正面図である。
【図３】センター飾りを拡大して示す正面図である。
【図４】板部材とその駆動機構を示す概略斜視図である。
【図５】本パチンコ機の全体の制御系を示すブロック図である。
【図６】遊技領域における遊技球の進路の例を示す概略図で、（ａ）は遊技球誘導ユニットの非作動状態における概略正面図、（ｂ）は遊技球誘導ユニットの作動状態における概略正面図である。
【図７】振り分け装置の開閉状態を示す概略図で、（ａ）は最も閉じた状態を示す概略平面図、（ｂ）は約半分開いた状態を示す概略平面図、（ｃ）は最も開いた状態を示す概略平面図である。
【符号の説明】
【００６９】
１：遊技機（パチンコ機）
１１ａ：遊技領域
１３：遊技球導入部（入賞口、可変入賞口）
２２：ユニット役物（センター飾り）
２４ａ：誘導路（上面）
２６：振り分け部材（振り分け装置）
３２：軸部材（回動軸）
３４ａ，〜，３４ｇ：板状部材（板部材）
３５ａ，〜，３５ｇ：辺（上辺）
７４：回動駆動手段（回動モータ）
８４：特定通過領域（特定入賞口）
Ｂａ：遊技球
Ｓ：誘導路（遊技球ステージ）
【図１】
0004743513.tif 000002
【図２】
0004743513.tif 000003
【図３】
0004743513.tif 000004
【図４】
0004743513.tif 000005
【図５】
0004743513.tif 000006
【図６】
0004743513.tif 000007
【図７】
0004743513.tif 000008